(57)【要約】【課題】  測定方法の適切性を向上することができるガスクロマトグラフを提供する。【解決手段】  ガスクロマトグラフ１０は、サンプルガスが注入される注入口１１ａと、注入口１１ａ経由で注入されたサンプルガスを通す管を着脱可能な管着脱部２０と、管着脱部２０に装着された管に吸着している物質を脱着させる脱着ヒーター１２と、サンプルガスの成分を分離するカラム１７と、カラム１７によって分離された成分を検出するセンサー１９と、ガスクロマトグラフ１０における測定を制御する制御部とを備え、制御部は、捕集管が管着脱部２０に装着されている場合に脱着ヒーター１２によって捕集管から脱着させられた成分を検出する濃縮測定処理と、単管４２が管着脱部２０に装着されている場合に注入口１１ａ経由で注入されたサンプルガスの成分を検出する非濃縮測定処理とのそれぞれに切り替え可能であることを特徴とする。【選択図】  図５
2019215215.tif 000002
【特許請求の範囲】
【請求項１】
サンプルが注入される注入口と、
前記注入口経由で注入された前記サンプルを通す管を着脱可能な管着脱部と、
前記管着脱部に装着された前記管に吸着している物質を脱着させる脱着ヒーターと、
前記サンプルの成分を分離するカラムと、
前記カラムによって分離された前記成分を検出するセンサーと
を備えるガスクロマトグラフであって、
前記ガスクロマトグラフにおける測定を制御する制御部を備え、
前記制御部は、
捕集管が前記管として前記管着脱部に装着されている場合に前記脱着ヒーターによって前記捕集管から脱着させられた前記成分を検出する濃縮測定処理と、
前記捕集管ではない単管が前記管として前記管着脱部に装着されている場合に前記注入口経由で注入された前記サンプルの前記成分を検出する非濃縮測定処理と
のそれぞれに切り替え可能であることを特徴とするガスクロマトグラフ。
【請求項２】
前記濃縮測定処理には、前記サンプルを収納する容器から前記注入口経由で注入されて前記管着脱部に装着されている前記捕集管に捕集された前記サンプルの前記成分を検出する容器濃縮測定処理が含まれ、
前記非濃縮測定処理には、前記管着脱部に前記単管が装着されている場合に前記容器から前記注入口経由で注入された前記サンプルの前記成分を検出する容器非濃縮測定処理が含まれ、
前記制御部は、前記容器濃縮測定処理および前記容器非濃縮測定処理のそれぞれに切り替え可能であることを特徴とする請求項１に記載のガスクロマトグラフ。
【請求項３】
前記濃縮測定処理には、前記ガスクロマトグラフの近傍の外気が前記サンプルとして直接前記注入口経由で注入された場合に前記管着脱部に装着されている前記捕集管に捕集された前記サンプルの前記成分を検出する外気濃縮測定処理が含まれ、
前記非濃縮測定処理には、前記管着脱部に前記単管が装着されている場合に前記外気が前記サンプルとして直接前記注入口経由で注入されたときに前記サンプルの前記成分を検出する外気非濃縮測定処理が含まれ、
前記制御部は、前記外気濃縮測定処理および前記外気非濃縮測定処理のそれぞれに切り替え可能であることを特徴とする請求項１または請求項２に記載のガスクロマトグラフ。
【請求項４】
前記濃縮測定処理には、前記ガスクロマトグラフの外部で前記サンプルを捕集して前記管着脱部に装着された前記捕集管に捕集されている前記サンプルの前記成分を検出する外部捕集測定処理が含まれ、
前記制御部は、前記外部捕集測定処理に切り替え可能であることを特徴とする請求項１から請求項３までのいずれかに記載のガスクロマトグラフ。
【発明の詳細な説明】
【技術分野】
【０００１】
本発明は、サンプルの成分を分析するガスクロマトグラフに関する。
【背景技術】
【０００２】
従来、サンプルの成分を分析するガスクロマトグラフが知られている（例えば、特許文献１参照。）。
【先行技術文献】
【特許文献】
【０００３】
【特許文献１】特開２０１８−０７１９７６号公報
【発明の概要】
【発明が解決しようとする課題】
【０００４】
しかしながら、従来のガスクロマトグラフにおいては、対象のサンプルに適した方法で測定することができない場合があるという問題がある。
【０００５】
そこで、本発明は、測定方法の適切性を向上することができるガスクロマトグラフを提供することを目的とする。
【課題を解決するための手段】
【０００６】
本発明のガスクロマトグラフは、サンプルが注入される注入口と、前記注入口経由で注入された前記サンプルを通す管を着脱可能な管着脱部と、前記管着脱部に装着された前記管に吸着している物質を脱着させる脱着ヒーターと、前記サンプルの成分を分離するカラムと、前記カラムによって分離された前記成分を検出するセンサーとを備えるガスクロマトグラフであって、前記ガスクロマトグラフにおける測定を制御する制御部を備え、前記制御部は、捕集管が前記管として前記管着脱部に装着されている場合に前記脱着ヒーターによって前記捕集管から脱着させられた前記成分を検出する濃縮測定処理と、前記捕集管ではない単管が前記管として前記管着脱部に装着されている場合に前記注入口経由で注入された前記サンプルの前記成分を検出する非濃縮測定処理とのそれぞれに切り替え可能であることを特徴とする。
【０００７】
この構成により、本発明のガスクロマトグラフは、濃縮測定処理および非濃縮測定処理のうち、対象のサンプルの測定に適した方に切り替え可能であるので、測定方法の適切性を向上することができる。
【０００８】
本発明のガスクロマトグラフにおいて、前記濃縮測定処理には、前記サンプルを収納する容器から前記注入口経由で注入されて前記管着脱部に装着されている前記捕集管に捕集された前記サンプルの前記成分を検出する容器濃縮測定処理が含まれ、前記非濃縮測定処理には、前記管着脱部に前記単管が装着されている場合に前記容器から前記注入口経由で注入された前記サンプルの前記成分を検出する容器非濃縮測定処理が含まれ、前記制御部は、前記容器濃縮測定処理および前記容器非濃縮測定処理のそれぞれに切り替え可能であっても良い。
【０００９】
この構成により、本発明のガスクロマトグラフは、容器から注入口経由でサンプルが注入される容器濃縮測定処理および容器非濃縮測定処理のそれぞれに切り替え可能であるので、ガスクロマトグラフから離れた場所で採取したサンプルの成分を検出することができ、利便性を向上することができる。
【００１０】
本発明のガスクロマトグラフにおいて、前記濃縮測定処理には、前記ガスクロマトグラフの近傍の外気が前記サンプルとして直接前記注入口経由で注入された場合に前記管着脱部に装着されている前記捕集管に捕集された前記サンプルの前記成分を検出する外気濃縮測定処理が含まれ、前記非濃縮測定処理には、前記管着脱部に前記単管が装着されている場合に前記外気が前記サンプルとして直接前記注入口経由で注入されたときに前記サンプルの前記成分を検出する外気非濃縮測定処理が含まれ、前記制御部は、前記外気濃縮測定処理および前記外気非濃縮測定処理のそれぞれに切り替え可能であっても良い。
【００１１】
この構成により、本発明のガスクロマトグラフは、ガスクロマトグラフの近傍の外気をサンプルとして注入口経由で直接注入される外気濃縮測定処理および外気非濃縮測定処理のそれぞれに切り替え可能であるので、利便性を向上することができる。
【００１２】
本発明のガスクロマトグラフにおいて、前記濃縮測定処理には、前記ガスクロマトグラフの外部で前記サンプルを捕集して前記管着脱部に装着された前記捕集管に捕集されている前記サンプルの前記成分を検出する外部捕集測定処理が含まれ、前記制御部は、前記外部捕集測定処理に切り替え可能であっても良い。
【００１３】
この構成により、本発明のガスクロマトグラフは、ガスクロマトグラフから離れた場所でサンプルが捕集管によって採取されるので、サンプルの運搬を効率化することができ、利便性を向上することができる。
【発明の効果】
【００１４】
本発明のガスクロマトグラフは、測定方法の適切性を向上することができる。
【図面の簡単な説明】
【００１５】
【図１】本発明の第１の実施の形態に係るガスクロマトグラフの外観斜視図である。
【図２】サンプルバッグが取り付けられている状態での図１に示すガスクロマトグラフの外観斜視図である。
【図３】（ａ）コックが開いている場合の図２に示すサンプルバッグの側面図である。（ｂ）コックが開いている場合の図３（ａ）に示すサンプルバッグの上面図である。
【図４】（ａ）コックが閉じている場合の図３に示すサンプルバッグの側面図である。（ｂ）コックが閉じている場合の図３に示すサンプルバッグの上面図である。
【図５】管着脱部に単管が取り付けられている場合に近傍の外気を一時貯蔵部に貯蔵するときの図１に示すガスクロマトグラフの構成図である。
【図６】（ａ）管が取り外されている状態を示す図５に示す管着脱部の正面断面図である。（ｂ）単管が取り付けられている状態を示す図５に示す管着脱部の正面断面図である。（ｃ）捕集管が取り付けられている状態を示す図５に示す管着脱部の正面断面図である。
【図７】図６に示す例とは異なる例での管着脱部の正面断面図である。
【図８】管着脱部に単管が取り付けられている場合に一時貯蔵部に貯蔵されていた気体の成分をセンサーによって検出するときの図１に示すガスクロマトグラフの構成図である。
【図９】図１に示すガスクロマトグラフのブロック図である。
【図１０】図１に示すガスクロマトグラフの動作のフローチャートである。
【図１１】図１０に示す外気非濃縮測定処理のフローチャートである。
【図１２】サンプルガスの収集中の図２に示すサンプルバッグおよびポンプの上面図である。
【図１３】図１０に示す容器非濃縮測定処理のフローチャートである。
【図１４】図１３に示す容器非濃縮測定処理における一時点でのガスクロマトグラフの構成図である。
【図１５】容器非濃縮測定処理における、図１４に示す時点とは異なる一時点でのガスクロマトグラフの構成図である。
【図１６】図１０に示す外気濃縮測定処理のフローチャートである。
【図１７】図１６に示す外気濃縮測定処理における一時点でのガスクロマトグラフの構成図である。
【図１８】外気濃縮測定処理における、図１７に示す時点とは異なる一時点でのガスクロマトグラフの構成図である。
【図１９】外気濃縮測定処理における、図１７および図１８に示す時点とは異なる一時点でのガスクロマトグラフの構成図である。
【図２０】外気濃縮測定処理における、図１７、図１８および図１９に示す時点とは異なる一時点でのガスクロマトグラフの構成図である。
【図２１】図１０に示す容器濃縮測定処理のフローチャートである。
【図２２】図２１に示す容器濃縮測定処理における一時点でのガスクロマトグラフの構成図である。
【図２３】容器濃縮測定処理における、図２２に示す時点とは異なる一時点でのガスクロマトグラフの構成図である。
【図２４】サンプルガスの収集中の図６に示す捕集管およびポンプの上面図である。
【図２５】サンプルガスの収集後の図２４に示す捕集管の断面図である。
【図２６】図１０に示す外部捕集測定処理のフローチャートである。
【図２７】図５に示す構成とは異なる構成でのガスクロマトグラフの構成図である。
【図２８】本発明の第２の実施の形態に係るガスクロマトグラフの構成図である。
【図２９】図２８に示すガスクロマトグラフの容器非濃縮測定処理のフローチャートである。
【図３０】図２８に示すガスクロマトグラフの容器濃縮測定処理のフローチャートである。
【図３１】本発明の第３の実施の形態に係るガスクロマトグラフの注入口の近傍の部分の概略の断面図である。
【図３２】図３１に示すガスクロマトグラフの容器非濃縮測定処理のフローチャートである。
【図３３】図３２に示す容器非濃縮測定処理における一時点でのガスクロマトグラフの注入口の近傍の部分の概略の断面図である。
【図３４】容器非濃縮測定処理における、図３３に示す時点とは異なる一時点でのガスクロマトグラフの注入口の近傍の部分の概略の断面図である。
【図３５】図３１に示すガスクロマトグラフの容器濃縮測定処理のフローチャートである。
【発明を実施するための形態】
【００１６】
以下、本発明の実施の形態について、図面を用いて説明する。
【００１７】
（第１の実施の形態）
まず、本実施の形態に係るガスクロマトグラフの構成について説明する。
【００１８】
図１は、本実施の形態に係るガスクロマトグラフ１０の外観斜視図である。
【００１９】
図１に示すように、ガスクロマトグラフ１０は、サンプルガスが注入される注入口１１ａが形成された筐体１１を備えている。
【００２０】
図２は、サンプルガスを収納する容器としてのサンプルバッグ４１が取り付けられている状態でのガスクロマトグラフ１０の外観斜視図である。
【００２１】
図２に示すように、ガスクロマトグラフ１０は、サンプルバッグ４１の接続部４１ａが注入口１１ａに挿入されることによって、サンプルバッグ４１が取り付けられる。
【００２２】
図３（ａ）は、コック４１ｂが開いている場合のサンプルバッグ４１の側面図である。図３（ｂ）は、コック４１ｂが開いている場合のサンプルバッグ４１の上面図である。図４（ａ）は、コック４１ｂが閉じている場合のサンプルバッグ４１の側面図である。図４（ｂ）は、コック４１ｂが閉じている場合のサンプルバッグ４１の上面図である。
【００２３】
図３および図４に示すように、サンプルバッグ４１は、筐体１１（図２参照。）に接続されるための接続部４１ａと、サンプルガスを封印するためのコック４１ｂとを備えている。サンプルバッグ４１は、図３に示すようにコック４１ｂが開いている場合に、接続部４１ａを介した内部と、外部との間の気体の流通が可能になり、図４に示すようにコック４１ｂが閉じている場合に、接続部４１ａを介した内部と、外部との間の気体の流通が不可能になる。
【００２４】
図５は、管着脱部２０に単管４２が取り付けられている場合に近傍の外気を一時貯蔵部１６に貯蔵するときのガスクロマトグラフ１０の構成図である。
【００２５】
図５に示すように、ガスクロマトグラフ１０は、注入口１１ａから注入されたサンプルガスを通す管を着脱可能な管着脱部２０と、管着脱部２０に装着された管に吸着している物質を脱着させるための脱着ヒーター１２と、管着脱部２０に装着された管にキャリアーガスを通すための第１の加圧ポンプ１３と、第１の加圧ポンプ１３側から注入口１１ａおよび管着脱部２０側への気体の流通を妨げず、注入口１１ａおよび管着脱部２０側から第１の加圧ポンプ１３側への気体の流通を妨げる逆止弁１４と、管着脱部２０に装着された管から気体を吸引するための吸引ポンプ１５と、気体を一時的に貯蔵するための一時貯蔵部１６と、サンプルガスの成分を分離するためのカラム１７と、キャリアーガスをカラムに通すための第２の加圧ポンプ１８と、カラム１７によって分離された、サンプルガスの成分を検出するセンサー１９と、管着脱部２０、吸引ポンプ１５、一時貯蔵部１６、カラム１７、第２の加圧ポンプ１８およびセンサー１９の接続関係を切り替えるための八方弁３０とを備えている。
【００２６】
管着脱部２０、脱着ヒーター１２、第１の加圧ポンプ１３、逆止弁１４、吸引ポンプ１５、一時貯蔵部１６、カラム１７、第２の加圧ポンプ１８、センサー１９および八方弁３０は、筐体１１（図１参照。）に収納されている。
【００２７】
一時貯蔵部１６は、流路の長さを確保するために螺旋状に形成されている部分１６ａを備える配管である。
【００２８】
第１の加圧ポンプ１３および第２の加圧ポンプ１８は、キャリアーガスを送るためのポンプである。キャリアーガスは、例えば、窒素ガスでも良いし、ヘリウムガスでも良いし、ＶＯＣ（Ｖｏｌａｔｉｌｅ  Ｏｒｇａｎｉｃ  Ｃｏｍｐｏｕｎｄｓ）ガスを除去したクリーンな室内空気でも良い。
【００２９】
図６（ａ）は、管が取り外されている状態を示す管着脱部２０の正面断面図である。図６（ｂ）は、単管４２が取り付けられている状態を示す管着脱部２０の正面断面図である。図６（ｃ）は、捕集管４３が取り付けられている状態を示す管着脱部２０の正面断面図である。
【００３０】
図６に示すように、管着脱部２０は、筐体１１（図１参照。）に対して位置が固定されていて穴２１ａが形成されている固定板２１と、穴２１ａに挿入されていて不活性で他の物質を吸着しない不活性非吸着チューブ２２と、不活性非吸着チューブ２２に固定されていて気体の漏れを防ぐパッキン２３と、不活性非吸着チューブ２２を中央に通して固定板２１およびパッキン２３の間に配置されているコイルバネ２４と、筐体１１に対して位置が固定されていて穴２５ａが形成されている固定板２５と、穴２５ａに挿入されていて不活性で他の物質を吸着しない不活性非吸着チューブ２６と、不活性非吸着チューブ２６に固定されていて気体の漏れを防ぐパッキン２７と、不活性非吸着チューブ２６を中央に通して固定板２５およびパッキン２７の間に配置されているコイルバネ２８とを備えている。
【００３１】
不活性非吸着チューブ２２は、注入口１１ａ（図５参照。）および逆止弁１４（図５参照。）と、八方弁３０（図５参照。）との一方に連通している。不活性非吸着チューブ２６は、注入口１１ａおよび逆止弁１４と、八方弁３０との他方に連通している。
【００３２】
単管４２は、不活性で他の物質を吸着しない管である。捕集管４３は、サンプルガスの特定の成分を吸着する吸着材４３ａを内蔵していて、吸着材４３ａによる成分の吸着によって捕集を実行する管である。
【００３３】
図７は、図６に示す例とは異なる例での管着脱部２０の正面断面図である。
【００３４】
図７に示すように、管着脱部２０は、パッキン２３が固定板２１に対して固定されていても良い。
【００３５】
図８は、管着脱部２０に単管４２が取り付けられている場合に一時貯蔵部１６に貯蔵されていた気体の成分をセンサー１９によって検出するときのガスクロマトグラフ１０の構成図である。
【００３６】
八方弁３０は、管着脱部２０に接続される接続口３１ａと、吸引ポンプ１５に接続される接続口３１ｂと、一時貯蔵部１６の一端に接続される接続口３１ｃと、カラム１７の一端に接続される接続口３１ｄと、センサー１９に接続される接続口３１ｅと、カラム１７の他端に接続される接続口３１ｆと、第２の加圧ポンプ１８に接続される接続口３１ｇと、一時貯蔵部１６の他端に接続される接続口３１ｈとが形成されている弁箱３１を備えている。
【００３７】
八方弁３０は、流路３２ａ〜３２ｄが形成された弁体を弁箱３１に対して回転可能に備えている。
【００３８】
八方弁３０は、流路３２ａによって接続口３１ａおよび接続口３１ｈが接続され、流路３２ｂによって接続口３１ｂおよび接続口３１ｃが接続され、流路３２ｃによって接続口３１ｄおよび接続口３１ｅが接続され、流路３２ｄによって接続口３１ｆおよび接続口３１ｇが接続される第１の状態（図５参照。）と、流路３２ａによって接続口３１ａおよび接続口３１ｂが接続され、流路３２ｂによって接続口３１ｃおよび接続口３１ｄが接続され、流路３２ｃによって接続口３１ｅおよび接続口３１ｆが接続され、流路３２ｄによって接続口３１ｇおよび接続口３１ｈが接続される第２の状態（図８参照。）とを切り替え可能である。
【００３９】
図９は、ガスクロマトグラフ１０のブロック図である。
【００４０】
図９に示すように、ガスクロマトグラフ１０は、脱着ヒーター１２、第１の加圧ポンプ１３、吸引ポンプ１５、第２の加圧ポンプ１８およびセンサー１９と、八方弁３０の状態を切り替える弁駆動部９１と、種々の操作が入力されるボタンなどの入力デバイスである操作部９２と、種々の情報を表示するＬＣＤ（Ｌｉｑｕｉｄ  Ｃｒｙｓｔａｌ  Ｄｉｓｐｌａｙ）などの表示デバイスである表示部９３と、種々の情報を音または音声によって出力する音出力デバイスであるスピーカー９４と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部９５と、各種の情報を記憶する半導体メモリー、ＨＤＤ（Ｈａｒｄ  Ｄｉｓｋ  Ｄｒｉｖｅ）などの不揮発性の記憶デバイスである記憶部９６と、ガスクロマトグラフ１０全体を制御する制御部９７とを備えている。
【００４１】
制御部９７は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部９６に記憶されているプログラムを実行する。
【００４２】
次に、ガスクロマトグラフ１０の動作について説明する。
【００４３】
図１０は、ガスクロマトグラフ１０の動作のフローチャートである。
【００４４】
図１０に示すように、制御部９７は、測定方式の選択画面を表示部９３に表示する（Ｓ１０１）。ここで、測定方式には、サンプルガスとしてのガスクロマトグラフ１０の近傍の外気を濃縮せずに測定する外気非濃縮測定と、サンプルバッグ４１の内部のサンプルガスを濃縮せずに測定する容器非濃縮測定と、サンプルガスとしてのガスクロマトグラフ１０の近傍の外気を濃縮して測定する外気濃縮測定と、サンプルバッグ４１の内部のサンプルガスを濃縮して測定する容器濃縮測定と、ガスクロマトグラフ１０の外部で捕集管４３に捕集されたサンプルガスを測定する外部捕集測定とが存在する。
【００４５】
制御部９７は、Ｓ１０１の処理の後、操作部９２を介して測定方式が選択されたと判断するまで、操作部９２を介して測定方式が選択されたか否かを判断する（Ｓ１０２）。
【００４６】
制御部９７は、測定方式が選択されたとＳ１０２において判断すると、選択された測定方式を判断する（Ｓ１０３）。
【００４７】
制御部９７は、外気非濃縮測定が選択されたとＳ１０３において判断すると、外気非濃縮測定処理を実行する（Ｓ１０４）。
【００４８】
制御部９７は、容器非濃縮測定が選択されたとＳ１０３において判断すると、容器非濃縮測定処理を実行する（Ｓ１０５）。
【００４９】
制御部９７は、外気濃縮測定が選択されたとＳ１０３において判断すると、外気濃縮測定処理を実行する（Ｓ１０６）。
【００５０】
制御部９７は、容器濃縮測定が選択されたとＳ１０３において判断すると、容器濃縮測定処理を実行する（Ｓ１０７）。
【００５１】
制御部９７は、外部捕集測定が選択されたとＳ１０３において判断すると、外部捕集測定処理を実行する（Ｓ１０８）。
【００５２】
制御部９７は、Ｓ１０４〜Ｓ１０８の処理の後、図１０に示す動作を終了する。
【００５３】
図１１は、外気非濃縮測定処理のフローチャートである。
【００５４】
図１１に示すように、制御部９７は、測定の開始が操作部９２を介して指示されたと判断するまで、測定の開始が操作部９２を介して指示されたか否かを判断する（Ｓ１２１）。したがって、作業者は、外気非濃縮測定の準備が終了した後、操作部９２を介して測定の開始を指示することができる。ここで、外気非濃縮測定の準備とは、注入口１１ａに何もセットせず、管着脱部２０に単管４２を取り付けることである。
【００５５】
制御部９７は、測定の開始が指示されたとＳ１２１において判断すると、図５に示すように、脱着ヒーター１２および第１の加圧ポンプ１３をＯＦＦの状態にし、吸引ポンプ１５および第２の加圧ポンプ１８をＯＮの状態にし、弁駆動部９１によって八方弁３０を第１の状態にする（Ｓ１２２）。
【００５６】
ガスクロマトグラフ１０が図５に示す状態である場合、ガスクロマトグラフ１０の近傍の外気は、注入口１１ａから注入され、管着脱部２０に装着された単管４２、八方弁３０の流路３２ａ、一時貯蔵部１６および八方弁３０の流路３２ｂを順に通って、吸引ポンプ１５によってガスクロマトグラフ１０の外部に排出される。
【００５７】
ガスクロマトグラフ１０が図５に示す状態である場合、キャリアーガスは、第２の加圧ポンプ１８によって吐出されて、八方弁３０の流路３２ｄ、カラム１７、八方弁３０の流路３２ｃおよびセンサー１９を順に通って、ガスクロマトグラフ１０の外部に排出される。このように、センサー１９にキャリアーガスのみを送る理由は、センサー１９における無検出状態を安定化させるためである。
【００５８】
制御部９７は、Ｓ１２２の処理の後、Ｓ１２２の処理を実行してから特定の時間が経過したと判断するまで、Ｓ１２２の処理を実行してから特定の時間が経過したか否かを判断する（Ｓ１２３）。ここで、特定の時間は、一定量のサンプルガスが一時貯蔵部１６に入るまでの時間であり、一時貯蔵部１６の容積と、吸引ポンプ１５による吸引による流量とに基づいて決定される一定の時間である。
【００５９】
制御部９７は、Ｓ１２２の処理を実行してから特定の時間が経過したとＳ１２３において判断すると、図８に示すように、脱着ヒーター１２をＯＦＦの状態にし、第１の加圧ポンプ１３、吸引ポンプ１５および第２の加圧ポンプ１８をＯＮの状態にし、弁駆動部９１によって八方弁３０を第２の状態にする（Ｓ１２４）。
【００６０】
ガスクロマトグラフ１０が図８に示す状態である場合、キャリアーガスは、第１の加圧ポンプ１３によって吐出されて、注入口１１ａからガスクロマトグラフ１０の外部に排出されるとともに、管着脱部２０に装着された単管４２および八方弁３０の流路３２ａを順に通って、吸引ポンプ１５によってガスクロマトグラフ１０の外部に排出される。したがって、流路は、キャリアーガスによってクリーニングされる。例えば、注入口１１ａは、キャリアーガスによってクリーニングされる。
【００６１】
ガスクロマトグラフ１０が図８に示す状態である場合、キャリアーガスは、第２の加圧ポンプ１８によって吐出されて、八方弁３０の流路３２ｄ、一時貯蔵部１６、八方弁３０の流路３２ｂ、カラム１７、八方弁３０の流路３２ｃおよびセンサー１９を順に通って、ガスクロマトグラフ１０の外部に排出される。したがって、一時貯蔵部１６に貯蔵されていたサンプルガスは、キャリアーガスとともにセンサー１９に送られて、センサー１９によって検出される。
【００６２】
制御部９７は、Ｓ１２４の処理の後、Ｓ１２４の処理を実行してから特定の時間が経過したと判断するまで、Ｓ１２４の処理を実行してから特定の時間が経過したか否かを判断する（Ｓ１２５）。
【００６３】
制御部９７は、Ｓ１２４の処理を実行してから特定の時間が経過したとＳ１２５において判断すると、センサー１９による検出結果をガスクロマトグラフ１０の外部のコンピューターに送信して（Ｓ１２６）、図１１に示す外気非濃縮測定処理を終了する。したがって、外部のコンピューターは、サンプルガスの分析結果を表示することができる。
【００６４】
ここで、サンプルバッグ４１の内部にサンプルガスを収集する作業について説明する。
【００６５】
図１２は、サンプルガスの収集中のサンプルバッグ４１およびポンプ４４の上面図である。
【００６６】
図１２に示すように、ポンプ４４は、ポンプ４４の近傍の外気をポンプ４４の内部に取り込むための吸気口４４ａと、ポンプ４４の内部に取り込まれた気体をポンプ４４の外部に排出するための排気口４４ｂとを備えている。作業者は、ポンプ４４の排気口４４ｂにサンプルバッグ４１の接続部４１ａを接続して、サンプルバッグ４１のコック４１ｂを開いた状態で、ポンプ４４を駆動することによって、ポンプ４４の近傍の外気をサンプルバッグ４１の内部にサンプルガスとして収集することができる。そして、作業者は、サンプルバッグ４１のコック４１ｂを閉じることによって、サンプルバッグ４１の内部のサンプルガスがサンプルバッグ４１の外部に漏れ出すことを防止することができる。
【００６７】
図１３は、容器非濃縮測定処理のフローチャートである。
【００６８】
図１３に示すように、制御部９７は、測定の開始が操作部９２を介して指示されたと判断するまで、測定の開始が指示されたか否かを判断する（Ｓ１４１）。したがって、作業者は、容器非濃縮測定の準備が終了した後、操作部９２を介して測定の開始を指示することができる。ここで、容器非濃縮測定の準備とは、本実施の形態において、管着脱部２０に単管４２を取り付けた後、注入口１１ａにサンプルバッグ４１の接続部４１ａを挿入してコック４１ｂを開くことである。
【００６９】
制御部９７は、測定の開始が指示されたとＳ１４１において判断すると、図１４に示すように、脱着ヒーター１２および第１の加圧ポンプ１３をＯＦＦの状態にし、吸引ポンプ１５および第２の加圧ポンプ１８をＯＮの状態にし、弁駆動部９１によって八方弁３０を第１の状態にする（Ｓ１４２）。
【００７０】
ガスクロマトグラフ１０が図１４に示す状態である場合、サンプルバッグ４１の内部のサンプルガスは、注入口１１ａから注入され、管着脱部２０に装着された単管４２、八方弁３０の流路３２ａ、一時貯蔵部１６および八方弁３０の流路３２ｂを順に通って、吸引ポンプ１５によってガスクロマトグラフ１０の外部に排出される。
【００７１】
ガスクロマトグラフ１０が図１４に示す状態である場合、キャリアーガスは、第２の加圧ポンプ１８によって吐出されて、八方弁３０の流路３２ｄ、カラム１７、八方弁３０の流路３２ｃおよびセンサー１９を順に通って、ガスクロマトグラフ１０の外部に排出される。このように、センサー１９にキャリアーガスのみを送る理由は、センサー１９における無検出状態を安定化させるためである。
【００７２】
制御部９７は、Ｓ１４２の処理の後、Ｓ１４２の処理を実行してから特定の時間が経過したと判断するまで、Ｓ１４２の処理を実行してから特定の時間が経過したか否かを判断する（Ｓ１４３）。ここで、特定の時間は、一定量のサンプルガスが一時貯蔵部１６に入るまでの時間であり、一時貯蔵部１６の容積と、吸引ポンプ１５による吸引による流量とに基づいて決定される一定の時間である。
【００７３】
制御部９７は、Ｓ１４２の処理を実行してから特定の時間が経過したとＳ１４３において判断すると、図１５に示すように、脱着ヒーター１２、第１の加圧ポンプ１３および吸引ポンプ１５をＯＦＦの状態にし、第２の加圧ポンプ１８をＯＮの状態にし、弁駆動部９１によって八方弁３０を第１の状態にする（Ｓ１４４）。
【００７４】
ガスクロマトグラフ１０が図１５に示す状態である場合、キャリアーガスは、第２の加圧ポンプ１８によって吐出されて、八方弁３０の流路３２ｄ、一時貯蔵部１６、八方弁３０の流路３２ｂ、カラム１７、八方弁３０の流路３２ｃおよびセンサー１９を順に通って、ガスクロマトグラフ１０の外部に排出される。このように、センサー１９にキャリアーガスのみを送る理由は、センサー１９における無検出状態を安定化させるためである。
【００７５】
制御部９７は、Ｓ１４４の処理の後、測定の処理の続行が操作部９２を介して指示されたと判断するまで、測定の処理の続行が指示されたか否かを判断する（Ｓ１４５）。したがって、作業者は、測定の処理の続行の準備が終了した後、操作部９２を介して測定の処理の続行を指示することができる。ここで、測定の処理の続行の準備とは、サンプルバッグ４１のコック４１ｂを閉じてサンプルバッグ４１の接続部４１ａを注入口１１ａから抜き出すことである。
【００７６】
制御部９７は、測定の処理の続行が操作部９２を介して指示されたとＳ１４５において判断すると、Ｓ１２４〜Ｓ１２６（図１１参照。）の処理と同様に、Ｓ１４６〜Ｓ１４８の処理を実行して、図１３に示す容器非濃縮測定処理を終了する。
【００７７】
図１６は、外気濃縮測定処理のフローチャートである。
【００７８】
図１６に示すように、制御部９７は、測定の開始が操作部９２を介して指示されたと判断するまで、測定の開始が操作部９２を介して指示されたか否かを判断する（Ｓ１６１）。したがって、作業者は、外気濃縮測定の準備が終了した後、操作部９２を介して測定の開始を指示することができる。ここで、外気濃縮測定の準備とは、注入口１１ａに何もセットせず、管着脱部２０に捕集管４３を取り付けることである。
【００７９】
制御部９７は、測定の開始が指示されたとＳ１６１において判断すると、図１７に示すように、脱着ヒーター１２および第１の加圧ポンプ１３をＯＦＦの状態にし、吸引ポンプ１５および第２の加圧ポンプ１８をＯＮの状態にし、弁駆動部９１によって八方弁３０を第２の状態にする（Ｓ１６２）。
【００８０】
ガスクロマトグラフ１０が図１７に示す状態である場合、ガスクロマトグラフ１０の近傍の外気は、注入口１１ａから注入され、管着脱部２０に装着された捕集管４３および八方弁３０の流路３２ａを順に通って、吸引ポンプ１５によってガスクロマトグラフ１０の外部に排出される。したがって、ガスクロマトグラフ１０の近傍の外気は、捕集管４３の吸着材４３ａにサンプルガスとして濃縮されて吸着される。
【００８１】
ガスクロマトグラフ１０が図１７に示す状態である場合、キャリアーガスは、第２の加圧ポンプ１８によって吐出されて、八方弁３０の流路３２ｄ、一時貯蔵部１６、八方弁３０の流路３２ｂ、カラム１７、八方弁３０の流路３２ｃおよびセンサー１９を順に通って、ガスクロマトグラフ１０の外部に排出される。このように、センサー１９にキャリアーガスのみを送る理由は、センサー１９における無検出状態を安定化させるためである。
【００８２】
制御部９７は、Ｓ１６２の処理の後、Ｓ１６２の処理を実行してから特定の時間が経過したと判断するまで、Ｓ１６２の処理を実行してから特定の時間が経過したか否かを判断する（Ｓ１６３）。ここで、Ｓ１６３における「特定の時間」は、作業者が希望する、捕集管４３による濃縮の程度に応じて、操作部９２を介して事前に設定可能である。
【００８３】
制御部９７は、Ｓ１６２の処理を実行してから特定の時間が経過したとＳ１６３において判断すると、図１８に示すように、第１の加圧ポンプ１３および吸引ポンプ１５をＯＦＦの状態にし、脱着ヒーター１２および第２の加圧ポンプ１８をＯＮの状態にし、弁駆動部９１によって八方弁３０を第２の状態にする（Ｓ１６４）。
【００８４】
ガスクロマトグラフ１０が図１８に示す状態である場合、捕集管４３によって吸着されていたサンプルガスは、捕集管４３が脱着ヒーター１２によって加熱されることによって吸着材４３ａから脱着されて、吸着材４３ａの近傍に高濃度の状態で発生する。
【００８５】
ガスクロマトグラフ１０が図１８に示す状態である場合、キャリアーガスは、第２の加圧ポンプ１８によって吐出されて、八方弁３０の流路３２ｄ、一時貯蔵部１６、八方弁３０の流路３２ｂ、カラム１７、八方弁３０の流路３２ｃおよびセンサー１９を順に通って、ガスクロマトグラフ１０の外部に排出される。このように、センサー１９にキャリアーガスのみを送る理由は、センサー１９における無検出状態を安定化させるためである。
【００８６】
制御部９７は、Ｓ１６４の処理の後、Ｓ１６４の処理を実行してから特定の時間が経過したと判断するまで、Ｓ１６４の処理を実行してから特定の時間が経過したか否かを判断する（Ｓ１６５）。ここで、Ｓ１６５における「特定の時間」は、捕集管４３の吸着材４３ａに適した加熱脱着時間に基づいて、操作部９２を介して事前に設定可能である。
【００８７】
制御部９７は、Ｓ１６４の処理を実行してから特定の時間が経過したとＳ１６５において判断すると、図１９に示すように、脱着ヒーター１２、第１の加圧ポンプ１３、吸引ポンプ１５および第２の加圧ポンプ１８をＯＮの状態にし、弁駆動部９１によって八方弁３０を第１の状態にする（Ｓ１６６）。
【００８８】
ガスクロマトグラフ１０が図１９に示す状態である場合、キャリアーガスは、第１の加圧ポンプ１３によって吐出されて、注入口１１ａからガスクロマトグラフ１０の外部に排出されるとともに、管着脱部２０に装着された捕集管４３、八方弁３０の流路３２ａ、一時貯蔵部１６および八方弁３０の流路３２ｂを順に通って、吸引ポンプ１５によってガスクロマトグラフ１０の外部に排出される。したがって、捕集管４３の吸着材４３ａの近傍で高濃度に濃縮されていたサンプルガスは、キャリアーガスとともに一時貯蔵部１６に送られて、一時貯蔵部１６に貯蔵される。また、注入口１１ａは、キャリアーガスによってクリーニングされる。
【００８９】
ガスクロマトグラフ１０が図１９に示す状態である場合、キャリアーガスは、第２の加圧ポンプ１８によって吐出されて、八方弁３０の流路３２ｄ、カラム１７、八方弁３０の流路３２ｃおよびセンサー１９を順に通って、ガスクロマトグラフ１０の外部に排出される。このように、センサー１９にキャリアーガスのみを送る理由は、センサー１９における無検出状態を安定化させるためである。
【００９０】
制御部９７は、Ｓ１６６の処理の後、Ｓ１６６の処理を実行してから特定の時間が経過したと判断するまで、Ｓ１６６の処理を実行してから特定の時間が経過したか否かを判断する（Ｓ１６７）。ここで、特定の時間は、一定量のサンプルガスが一時貯蔵部１６に入るまでの時間であり、一時貯蔵部１６の容積と、吸引ポンプ１５による吸引による流量とに基づいて決定される一定の時間である。
【００９１】
制御部９７は、Ｓ１６６の処理を実行してから特定の時間が経過したとＳ１６７において判断すると、図２０に示すように、脱着ヒーター１２、第１の加圧ポンプ１３、吸引ポンプ１５および第２の加圧ポンプ１８をＯＮの状態にし、弁駆動部９１によって八方弁３０を第２の状態にする（Ｓ１６８）。
【００９２】
ガスクロマトグラフ１０が図２０に示す状態である場合、キャリアーガスは、第１の加圧ポンプ１３によって吐出されて、注入口１１ａからガスクロマトグラフ１０の外部に排出されるとともに、管着脱部２０に装着された捕集管４３および八方弁３０の流路３２ａを順に通って、吸引ポンプ１５によってガスクロマトグラフ１０の外部に排出される。したがって、流路は、キャリアーガスによってクリーニングされる。例えば、注入口１１ａや捕集管４３は、キャリアーガスによってクリーニングされる。
【００９３】
ガスクロマトグラフ１０が図２０に示す状態である場合、キャリアーガスは、第２の加圧ポンプ１８によって吐出されて、八方弁３０の流路３２ｄ、一時貯蔵部１６、八方弁３０の流路３２ｂ、カラム１７、八方弁３０の流路３２ｃおよびセンサー１９を順に通って、ガスクロマトグラフ１０の外部に排出される。したがって、一時貯蔵部１６に貯蔵されていたサンプルガスは、キャリアーガスとともにセンサー１９に送られて、センサー１９によって検出される。
【００９４】
制御部９７は、Ｓ１６８の処理の後、Ｓ１６８の処理を実行してから特定の時間が経過したと判断するまで、Ｓ１６８の処理を実行してから特定の時間が経過したか否かを判断する（Ｓ１６９）。
【００９５】
制御部９７は、Ｓ１６８の処理を実行してから特定の時間が経過したとＳ１６９において判断すると、センサー１９による検出結果をガスクロマトグラフ１０の外部のコンピューターに送信して（Ｓ１７０）、図１６に示す外気濃縮測定処理を終了する。したがって、外部のコンピューターは、サンプルガスの分析結果を表示することができる。
【００９６】
図２１は、容器濃縮測定処理のフローチャートである。
【００９７】
図２１に示すように、制御部９７は、測定の開始が操作部９２を介して指示されたと判断するまで、測定の開始が操作部９２を介して指示されたか否かを判断する（Ｓ１８１）。したがって、作業者は、容器濃縮測定の準備が終了した後、操作部９２を介して測定の開始を指示することができる。ここで、容器濃縮測定の準備とは、本実施の形態において、管着脱部２０に捕集管４３を取り付けた後、注入口１１ａにサンプルバッグ４１の接続部４１ａを挿入してコック４１ｂを開くことである。
【００９８】
制御部９７は、測定の開始が指示されたとＳ１８１において判断すると、図２２に示すように、脱着ヒーター１２および第１の加圧ポンプ１３をＯＦＦの状態にし、吸引ポンプ１５および第２の加圧ポンプ１８をＯＮの状態にし、弁駆動部９１によって八方弁３０を第２の状態にする（Ｓ１８２）。
【００９９】
ガスクロマトグラフ１０が図２２に示す状態である場合、サンプルバッグ４１の内部のサンプルガスは、注入口１１ａから注入され、管着脱部２０に装着された捕集管４３および八方弁３０の流路３２ａを順に通って、吸引ポンプ１５によってガスクロマトグラフ１０の外部に排出される。したがって、サンプルバッグ４１の内部のサンプルガスは、捕集管４３の吸着材４３ａに濃縮されて吸着される。
【０１００】
ガスクロマトグラフ１０が図２２に示す状態である場合、キャリアーガスは、第２の加圧ポンプ１８によって吐出されて、八方弁３０の流路３２ｄ、一時貯蔵部１６、八方弁３０の流路３２ｂ、カラム１７、八方弁３０の流路３２ｃおよびセンサー１９を順に通って、ガスクロマトグラフ１０の外部に排出される。このように、センサー１９にキャリアーガスのみを送る理由は、センサー１９における無検出状態を安定化させるためである。
【０１０１】
制御部９７は、Ｓ１８２の処理の後、Ｓ１８２の処理を実行してから特定の時間が経過したと判断するまで、Ｓ１８２の処理を実行してから特定の時間が経過したか否かを判断する（Ｓ１８３）。ここで、Ｓ１８３における「特定の時間」は、作業者が希望する、捕集管４３による濃縮の程度に応じて、操作部９２を介して事前に設定可能である。
【０１０２】
制御部９７は、Ｓ１８２の処理を実行してから特定の時間が経過したとＳ１８３において判断すると、図２３に示すように、脱着ヒーター１２、第１の加圧ポンプ１３および吸引ポンプ１５をＯＦＦの状態にし、第２の加圧ポンプ１８をＯＮの状態にし、弁駆動部９１によって八方弁３０を第２の状態にする（Ｓ１８４）。
【０１０３】
ガスクロマトグラフ１０が図２３に示す状態である場合、キャリアーガスは、第２の加圧ポンプ１８によって吐出されて、八方弁３０の流路３２ｄ、一時貯蔵部１６、八方弁３０の流路３２ｂ、カラム１７、八方弁３０の流路３２ｃおよびセンサー１９を順に通って、ガスクロマトグラフ１０の外部に排出される。このように、センサー１９にキャリアーガスのみを送る理由は、センサー１９における無検出状態を安定化させるためである。
【０１０４】
制御部９７は、Ｓ１８４の処理の後、測定の処理の続行が操作部９２を介して指示されたと判断するまで、測定の処理の続行が指示されたか否かを判断する（Ｓ１８５）。したがって、作業者は、測定の処理の続行の準備が終了した後、操作部９２を介して測定の処理の続行を指示することができる。ここで、測定の処理の続行の準備とは、サンプルバッグ４１のコック４１ｂを閉じてサンプルバッグ４１の接続部４１ａを注入口１１ａから抜き出すことである。
【０１０５】
制御部９７は、測定の処理の続行が操作部９２を介して指示されたとＳ１８５において判断すると、Ｓ１６４〜Ｓ１７０（図１６参照。）の処理と同様に、Ｓ１８６〜Ｓ１９２の処理を実行して、図２１に示す容器濃縮測定処理を終了する。
【０１０６】
ここで、捕集管４３の内部にサンプルガスを収集する作業について説明する。
【０１０７】
図２４は、サンプルガスの収集中の捕集管４３およびポンプ４４の上面図である。
【０１０８】
図２４に示すように、作業者は、ポンプ４４の吸気口４４ａに捕集管４３を接続して、ポンプ４４を駆動することによって、ポンプ４４の近傍の外気を捕集管４３の内部にサンプルガスとして収集することができる。すなわち、ポンプ４４の近傍の外気は、捕集管４３の吸着材４３ａにサンプルガスとして濃縮されて吸着される。なお、図２４において、捕集管４３は、断面が示されている。
【０１０９】
図２５は、サンプルガスの収集後の捕集管４３の断面図である。
【０１１０】
作業者は、ポンプ４４による捕集管４３へのサンプルガスの収集が終了すると、図２５に示すように、捕集管４３の両端にキャップ４３ｂを取り付けることによって、捕集管４３の内部のサンプルガスが捕集管４３の外部に漏れ出すことを防止することができる。
【０１１１】
図２６は、外部捕集測定処理のフローチャートである。
【０１１２】
図２６に示すように、制御部９７は、測定の開始が操作部９２を介して指示されたと判断するまで、測定の開始が操作部９２を介して指示されたか否かを判断する（Ｓ２０１）。したがって、作業者は、外部捕集測定の準備が終了した後、操作部９２を介して測定の開始を指示することができる。ここで、外部捕集測定の準備とは、注入口１１ａに何もセットせず、図２５に示す捕集管４３のキャップ４３ｂを外して、この捕集管４３を管着脱部２０に取り付けることである。
【０１１３】
制御部９７は、測定の開始が指示されたとＳ２０１において判断すると、Ｓ１６４〜Ｓ１７０（図１６参照。）の処理と同様なＳ２０２〜Ｓ２０８の処理を実行して、図２６に示す外部捕集測定処理を終了する。
【０１１４】
以上に説明したように、ガスクロマトグラフ１０は、濃縮測定処理および非濃縮測定処理のうち、対象のサンプルの測定に適した方に切り替え可能であるので、測定方法の適切性を向上することができる。
【０１１５】
ガスクロマトグラフ１０は、外気濃縮測定、容器濃縮測定および外部捕集測定などの濃縮測定処理において、一旦、捕集管４３によってサンプルガスを濃縮するので、非常に低濃度のサンプルガスであっても成分を検出することができる。
【０１１６】
ガスクロマトグラフ１０は、捕集管４３による吸着され易さにサンプルガスの成分によって差があるので、濃縮測定処理において、サンプルガスの成分のうち、捕集管４３による吸着され易い特定の成分に対する測定を適切に実行することができる。
【０１１７】
ガスクロマトグラフ１０は、外気非濃縮測定および容器非濃縮測定などの非濃縮測定処理において、単管４２によって特定の成分が吸着されることがないので、サンプルガスの全成分に対する測定を適切に実行することができる。
【０１１８】
ガスクロマトグラフ１０は、サンプルバッグ４１から注入口１１ａ経由でサンプルガスが注入される容器濃縮測定処理および容器非濃縮測定処理のそれぞれに切り替え可能であるので、ガスクロマトグラフ１０から離れた場所で採取したサンプルガスの成分を検出することができ、利便性を向上することができる。
【０１１９】
ガスクロマトグラフ１０は、ガスクロマトグラフ１０の近傍の外気をサンプルガスとして注入口１１ａ経由で直接注入される外気濃縮測定処理および外気非濃縮測定処理のそれぞれに切り替え可能であるので、利便性を向上することができる。
【０１２０】
ガスクロマトグラフ１０は、ガスクロマトグラフ１０から離れた場所でサンプルガスが捕集管４３によって採取されるので、サンプルガスの運搬を効率化することができ、利便性を向上することができる。
【０１２１】
図２７は、図５に示す構成とは異なる構成でのガスクロマトグラフ１０の構成図である。
【０１２２】
逆止弁は、一般的に、電磁弁より内部構造が単純であるので、ガスクロマトグラフ１０に使用された場合に内部にサンプルガスが残留し難い。図５に示すガスクロマトグラフ１０は、逆止弁１４を備えているので、図２７に示すように電磁弁６１および電磁弁６２を備えている構成と比較して、流路にサンプルガスが残留し難く、高精度の測定結果を得ることができる。
【０１２３】
なお、ガスクロマトグラフ１０は、逆止弁１４に代えて、図２７に示すように、第１の加圧ポンプ１３および管着脱部２０の間の流路上に配置された電磁弁６１と、注入口１１ａおよび管着脱部２０の間の流路上に配置された電磁弁６２とを備えても良い。制御部９７は、第１の加圧ポンプ１３がＯＮの状態である場合に電磁弁６１を開き、第１の加圧ポンプ１３がＯＦＦの状態である場合に電磁弁６１を閉じる。また、制御部９７は、第１の加圧ポンプ１３がＯＦＦの状態であって、吸引ポンプ１５がＯＮの状態である場合に電磁弁６２を開く。制御部９７は、第１の加圧ポンプ１３および吸引ポンプ１５がＯＦＦの状態である場合や、第１の加圧ポンプ１３がＯＮの状態であって、吸引ポンプ１５がＯＮの状態である場合に、電磁弁６２を開いても良いし、閉じても良い。ガスクロマトグラフ１０は、第１の加圧ポンプ１３がＯＮの状態であって、吸引ポンプ１５がＯＮの状態である場合に、電磁弁６２が閉じるとき、電磁弁６２が開く構成と比較して、第１の加圧ポンプ１３の流量が小さくても良い。
【０１２４】
なお、ガスクロマトグラフ１０は、図２７において電磁弁６２を備えているが、電磁弁６２を備えなくても良い。
【０１２５】
（第２の実施の形態）
まず、本実施の形態に係るガスクロマトグラフの構成について説明する。
【０１２６】
なお、本実施の形態に係るガスクロマトグラフの構成のうち、第１の実施の形態に係るガスクロマトグラフ１０（図５参照。）の構成と同様の構成については、ガスクロマトグラフ１０の構成と同一の符号を付して、詳細な説明を省略する。
【０１２７】
図２８は、本実施の形態に係るガスクロマトグラフ３１０の構成図である。
【０１２８】
図２８に示すように、ガスクロマトグラフ３１０の構成は、筐体１１へのサンプルバッグ４１の取り付けの有無を検出する取付有無センサー３１１をガスクロマトグラフ１０が備えた構成と同様である。
【０１２９】
取付有無センサー３１１は、注入口１１ａに設けられており、サンプルバッグ４１の接続部４１ａが注入口１１ａ内に存在するか否かを検出するものである。取付有無センサー３１１における検出方法としては、接触式または非接触式の、公知の任意の検出方法が採用されることが可能である。例えば、取付有無センサー３１１は、フォトセンサーである。
【０１３０】
次に、ガスクロマトグラフ３１０の動作について説明する。
【０１３１】
なお、ガスクロマトグラフ３１０の動作のうち、以下に説明する動作以外の動作については、第１の実施の形態に係るガスクロマトグラフ１０の動作と同様であるので、詳細な説明を省略する。
【０１３２】
図２９は、ガスクロマトグラフ３１０の容器非濃縮測定処理のフローチャートである。
【０１３３】
図２９に示すように、制御部９７は、Ｓ１４１（図１３参照。）の処理と同様なＳ４４１の処理を実行する。
【０１３４】
制御部９７は、測定の開始が指示されたとＳ４４１において判断すると、筐体１１にサンプルバッグ４１が取り付けられていることが取付有無センサー３１１によって検出されているか否かを判断する（Ｓ４４２）。
【０１３５】
制御部９７は、筐体１１にサンプルバッグ４１が取り付けられていることが取付有無センサー３１１によって検出されていないとＳ４４２において判断すると、筐体１１へのサンプルバッグ４１の取り付けを作業者に指示する内容の通知など、特定の通知を実行する（Ｓ４４３）。ここで、通知の方法としては、例えば、表示部９３による表示と、スピーカー９４による音および音声の少なくとも１つの出力との少なくとも１つが採用される。
【０１３６】
制御部９７は、Ｓ４４３の処理の後、再びＳ４４１の処理を実行する。したがって、作業者は、再び容器非濃縮測定の準備が終了した後、操作部９２を介して測定の開始を指示することができる。
【０１３７】
制御部９７は、筐体１１にサンプルバッグ４１が取り付けられていることが取付有無センサー３１１によって検出されているとＳ４４２において判断すると、Ｓ１４２〜Ｓ１４５（図１３参照。）の処理と同様のＳ４４４〜Ｓ４４７の処理を実行する。
【０１３８】
制御部９７は、測定の処理の続行が操作部９２を介して指示されたとＳ４４７において判断すると、筐体１１にサンプルバッグ４１が取り付けられていないことが取付有無センサー３１１によって検出されているか否かを判断する（Ｓ４４８）。
【０１３９】
制御部９７は、筐体１１にサンプルバッグ４１が取り付けられていないことが取付有無センサー３１１によって検出されていないとＳ４４８において判断すると、筐体１１からのサンプルバッグ４１の取り外しを作業者に指示する内容の通知など、特定の通知を実行する（Ｓ４４９）。ここで、通知の方法としては、例えば、表示部９３による表示と、スピーカー９４による音および音声の少なくとも１つの出力との少なくとも１つが採用される。
【０１４０】
制御部９７は、Ｓ４４９の処理の後、再びＳ４４７の処理を実行する。したがって、作業者は、再び測定の処理の続行の準備が終了した後、操作部９２を介して測定の処理の続行を指示することができる。
【０１４１】
制御部９７は、筐体１１にサンプルバッグ４１が取り付けられていないことが取付有無センサー３１１によって検出されているとＳ４４８において判断すると、Ｓ１４６〜Ｓ１４８（図１３参照。）の処理と同様のＳ４５０〜Ｓ４５２の処理を実行して、図２９に示す容器非濃縮測定処理を終了する。
【０１４２】
図３０は、ガスクロマトグラフ３１０の容器濃縮測定処理のフローチャートである。
【０１４３】
図３０に示すように、制御部９７は、Ｓ１８１（図２１参照。）の処理と同様なＳ４８１の処理を実行する。
【０１４４】
制御部９７は、測定の開始が指示されたとＳ４８１において判断すると、Ｓ４４２〜Ｓ４４３（図２９参照。）の処理と同様のＳ４８２〜Ｓ４８３の処理を実行する。
【０１４５】
制御部９７は、Ｓ４８３の処理の後、再びＳ４８１の処理を実行する。したがって、作業者は、再び容器濃縮測定の準備が終了した後、操作部９２を介して測定の開始を指示することができる。
【０１４６】
制御部９７は、筐体１１にサンプルバッグ４１が取り付けられていることが取付有無センサー３１１によって検出されているとＳ４８２において判断すると、Ｓ１８２〜Ｓ１８５（図２１参照。）の処理と同様のＳ４８４〜Ｓ４８７の処理を実行する。
【０１４７】
制御部９７は、測定の処理の続行が操作部９２を介して指示されたとＳ４８７において判断すると、Ｓ４４８〜Ｓ４４９（図２９参照。）の処理と同様のＳ４８８〜Ｓ４８９の処理を実行する
【０１４８】
制御部９７は、Ｓ４８９の処理の後、再びＳ４８７の処理を実行する。したがって、作業者は、再び測定の処理の続行の準備が終了した後、操作部９２を介して測定の処理の続行を指示することができる。
【０１４９】
制御部９７は、筐体１１にサンプルバッグ４１が取り付けられていないことが取付有無センサー３１１によって検出されているとＳ４８８において判断すると、Ｓ１８６〜Ｓ１９２（図２３参照。）の処理と同様のＳ４９０〜Ｓ４９６の処理を実行して、図３０に示す容器濃縮測定処理を終了する。
【０１５０】
以上に説明したように、ガスクロマトグラフ３１０は、サンプルバッグ４１が取り付けられているべきである場合（Ｓ４４１でＹＥＳまたはＳ４８１でＹＥＳ）に、サンプルバッグ４１が取り付けられていないとき（Ｓ４４２でＮＯまたはＳ４８２でＮＯ）、特定の通知を実行する（Ｓ４４３またはＳ４８３）ので、サンプルバッグ４１からサンプルガスが注入される測定方法、すなわち、容器非濃縮測定または容器濃縮測定において、サンプルバッグ４１が取り付けられていない状態でサンプルガスの注入が実行されるという不具合など、人的ミスに起因する不具合の発生の可能性を抑えることができる。
【０１５１】
ガスクロマトグラフ３１０は、サンプルバッグ４１が取り外されているべきである場合（Ｓ４４７でＹＥＳまたはＳ４８７でＹＥＳ）に、サンプルバッグ４１が取り付けられているとき（Ｓ４４８でＮＯまたはＳ４８８でＮＯ）、特定の通知を実行する（Ｓ４４９またはＳ４８９）ので、容器非濃縮測定または容器濃縮測定において、流路のクリーニング時にサンプルバッグ４１が取り付けられていることによってサンプルバッグ４１内のサンプルガスがクリーニング用のキャリアーガスによって希釈されるという不具合や、サンプルバッグ４１が取り付けられていることによって流路のクリーニングが正常に実行されないという不具合など、人的ミスに起因する不具合の発生の可能性を抑えることができる。
【０１５２】
ガスクロマトグラフ３１０は、本実施の形態において、サンプルバッグ４１が取り付けられている場合（Ｓ４４８でＮＯまたはＳ４８８でＮＯ）に特定の通知を実行し（Ｓ４４９またはＳ４８９）、サンプルバッグ４１が取り付けられていない場合（Ｓ４４８でＹＥＳまたはＳ４８８でＹＥＳ）のみに測定の処理を続行する（Ｓ４５０またはＳ４９０）。しかしながら、ガスクロマトグラフ３１０は、サンプルバッグ４１が取り付けられている場合（Ｓ４４８でＮＯまたはＳ４８８でＮＯ）であっても、特定の通知を実行した（Ｓ４４９またはＳ４８９）後に直ちに測定の処理を続行（Ｓ４５０またはＳ４９０）しても良い。なお、ガスクロマトグラフ３１０は、特定の通知を実行した（Ｓ４４９またはＳ４８９）後に直ちに測定の処理を続行する（Ｓ４５０またはＳ４９０）場合、筐体１１にサンプルバッグ４１が取り付けられていないことが取付有無センサー３１１によって検出されるか、容器非濃縮測定処理または容器濃縮測定処理が終了するまで、特定の通知を実行し続けても良い。また、ガスクロマトグラフ３１０は、特定の通知を実行した（Ｓ４４９またはＳ４８９）後に直ちに測定の処理を続行する（Ｓ４５０またはＳ４９０）場合、筐体１１にサンプルバッグ４１が取り付けられていないことが取付有無センサー３１１によって検出されない限り、Ｓ４５０またはＳ４９４において第１の加圧ポンプ１３および吸引ポンプ１５をＯＦＦの状態にしても良い。
【０１５３】
（第３の実施の形態）
まず、本実施の形態に係るガスクロマトグラフの構成について説明する。
【０１５４】
なお、本実施の形態に係るガスクロマトグラフの構成のうち、第１の実施の形態に係るガスクロマトグラフ１０（図５参照。）の構成と同様の構成については、ガスクロマトグラフ１０の構成と同一の符号を付して、詳細な説明を省略する。
【０１５５】
図３１は、本実施の形態に係るガスクロマトグラフ５１０の注入口１１ａの近傍の部分の概略の断面図である。
【０１５６】
図３１に示すように、ガスクロマトグラフ５１０は、サンプルバッグ４１（図３参照。）を駆動する容器駆動装置５２０を注入口１１ａの近傍に備えている。
【０１５７】
容器駆動装置５２０は、サンプルバッグ４１のコック４１ｂ（図３参照。）を開閉させるコック開閉装置５２１と、注入口１１ａに対してコック開閉装置５２１を移動させることによってサンプルバッグ４１の接続部４１ａ（図３参照。）を注入口１１ａに対して抜き差しする容器着脱装置５２２と、コック開閉装置５２１および容器着脱装置５２２の一部を覆うカバー５２３とを備えている。
【０１５８】
コック開閉装置５２１は、コック４１ｂが取り付けられるコック取付部５２１ａと、軸５２０ａを中心にコック取付部５２１ａを回転させる図示してないモーターを備えた本体５２１ｂとを備えている。
【０１５９】
容器着脱装置５２２は、軸５２０ａに直交する矢印５２０ｂで示す方向に延在していてコック開閉装置５２１が取り付けられる棒状部材５２２ａと、矢印５２０ｂで示す方向における棒状部材５２２ａの突出量を変更する図示していないモーターを備えた本体５２２ｂとを備えている。
【０１６０】
次に、ガスクロマトグラフ５１０の動作について説明する。
【０１６１】
なお、ガスクロマトグラフ５１０の動作のうち、以下に説明する動作以外の動作については、第１の実施の形態に係るガスクロマトグラフ１０の動作と同様であるので、詳細な説明を省略する。
【０１６２】
図３２は、ガスクロマトグラフ５１０の容器非濃縮測定処理のフローチャートである。
【０１６３】
図３２に示すように、制御部９７は、測定の開始が操作部９２を介して指示されたと判断するまで、測定の開始が指示されたか否かを判断する（Ｓ６４１）。したがって、作業者は、容器非濃縮測定の準備が終了した後、操作部９２を介して測定の開始を指示することができる。ここで、容器非濃縮測定の準備とは、本実施の形態において、管着脱部２０に単管４２を取り付けた後、図３３に示すように、コック４１ｂが閉じた状態のサンプルバッグ４１のコック４１ｂをコック取付部５２１ａに取り付けることである。
【０１６４】
制御部９７は、測定の開始が指示されたとＳ６４１において判断すると、棒状部材５２２ａに取り付けられているコック開閉装置５２１のコック取付部５２１ａにコック４１ｂが取り付けられているサンプルバッグ４１の接続部４１ａが注入口１１ａに挿入される突出量（以下「挿入時突出量」という。）に、矢印５２０ｂで示す方向における棒状部材５２２ａの突出量を容器着脱装置５２２によって変更する（Ｓ６４２）。棒状部材５２２ａの突出量が挿入時突出量に変更されると、サンプルバッグ４１の接続部４１ａは、図３４に示すように、注入口１１ａに挿入される。
【０１６５】
次いで、制御部９７は、コック取付部５２１ａに取り付けられているコック４１ｂが開く角度（以下「コック開角度」という。）に、軸５２０ａを中心にしたコック取付部５２１ａの角度をコック開閉装置５２１によって変更する（Ｓ６４３）。コック取付部５２１ａの角度がコック開角度に変更されると、コック４１ｂは、開かれる。
【０１６６】
次いで、制御部９７は、Ｓ１４２〜Ｓ１４４（図１３参照。）の処理と同様のＳ６４４〜Ｓ６４６の処理を実行する。
【０１６７】
制御部９７は、Ｓ６４６の処理の後、コック取付部５２１ａに取り付けられているコック４１ｂが閉じる角度（以下「コック閉角度」という。）に、軸５２０ａを中心にしたコック取付部５２１ａの角度をコック開閉装置５２１によって変更する（Ｓ６４７）。コック取付部５２１ａの角度がコック閉角度に変更されると、コック４１ｂは、閉じられる。
【０１６８】
次いで、制御部９７は、棒状部材５２２ａに取り付けられているコック開閉装置５２１のコック取付部５２１ａにコック４１ｂが取り付けられているサンプルバッグ４１の接続部４１ａが注入口１１ａから抜き出される突出量（以下「抜出時突出量」という。）に、矢印５２０ｂで示す方向における棒状部材５２２ａの突出量を容器着脱装置５２２によって変更する（Ｓ６４８）。棒状部材５２２ａの突出量が抜出時突出量に変更されると、サンプルバッグ４１の接続部４１ａは、図３３に示すように、注入口１１ａから抜き出される。
【０１６９】
次いで、制御部９７は、Ｓ１４６〜Ｓ１４８（図１３参照。）の処理と同様のＳ６４９〜Ｓ６５１の処理を実行して、図３２に示す容器非濃縮測定処理を終了する。
【０１７０】
図３５は、ガスクロマトグラフ５１０の容器濃縮測定処理のフローチャートである。
【０１７１】
図３５に示すように、制御部９７は、測定の開始が操作部９２を介して指示されたと判断するまで、測定の開始が操作部９２を介して指示されたか否かを判断する（Ｓ６８１）。したがって、作業者は、容器濃縮測定の準備が終了した後、操作部９２を介して測定の開始を指示することができる。ここで、容器濃縮測定の準備とは、本実施の形態において、管着脱部２０に捕集管４３を取り付けた後、図３３に示すように、コック４１ｂが閉じた状態のサンプルバッグ４１のコック４１ｂをコック取付部５２１ａに取り付けることである。
【０１７２】
制御部９７は、測定の開始が指示されたとＳ６８１において判断すると、Ｓ６４２〜Ｓ６４３（図３２参照。）の処理と同様のＳ６８２〜Ｓ６８３の処理を実行する。
【０１７３】
次いで、制御部９７は、Ｓ１８２〜Ｓ１８４（図２３参照。）の処理と同様のＳ６８４〜Ｓ６８６の処理を実行する。
【０１７４】
制御部９７は、Ｓ６８６の処理の後、Ｓ６４７〜Ｓ６４８（図３２参照。）の処理と同様のＳ６８７〜Ｓ６８８の処理を実行する
【０１７５】
次いで、制御部９７は、Ｓ１８６〜Ｓ１９２（図２３参照。）の処理と同様のＳ６８９〜Ｓ６９５の処理を実行して、図３５に示す容器濃縮測定処理を終了する。
【０１７６】
以上に説明したように、ガスクロマトグラフ５１０は、サンプルバッグ４１のコック４１ｂが開いているべきである場合（Ｓ６４１でＹＥＳまたはＳ６８１でＹＥＳ）に、コック４１ｂを自動で開ける（Ｓ６４３またはＳ６８３）ので、サンプルバッグ４１からサンプルガスが注入される測定方法、すなわち、容器非濃縮測定または容器濃縮測定において、コック４１ｂが閉じられている状態でサンプルガスの注入が実行されるという不具合など、人的ミスに起因する不具合の発生の可能性を抑えることができるとともに、作業者の作業負担を軽減することができる。
【０１７７】
ガスクロマトグラフ５１０は、コック４１ｂが閉じているべきである場合に、コック４１ｂを自動で閉じる（Ｓ６４７またはＳ６８７）ので、容器非濃縮測定または容器濃縮測定において、流路のクリーニング時にサンプルバッグ４１が取り付けられていることによってサンプルバッグ４１内のサンプルガスがクリーニング用のキャリアーガスによって希釈されるという不具合など、人的ミスに起因する不具合の発生の可能性を抑えることができるとともに、作業者の作業負担を軽減することができる。
【０１７８】
ガスクロマトグラフ５１０は、サンプルバッグ４１が取り付けられているべきである場合（Ｓ６４１でＹＥＳまたはＳ６８１でＹＥＳ）に、サンプルバッグ４１を自動で取り付ける（Ｓ６４２またはＳ６８２）ので、容器非濃縮測定または容器濃縮測定において、サンプルバッグ４１が取り付けられていない状態でサンプルガスの注入が実行されるという不具合など、人的ミスに起因する不具合の発生の可能性を抑えることができるとともに、作業者の作業負担を軽減することができる。
【０１７９】
ガスクロマトグラフ５１０は、サンプルバッグ４１が取り外されているべきである場合に、サンプルバッグ４１を自動で取り外す（Ｓ６４８またはＳ６８８）ので、容器非濃縮測定または容器濃縮測定において、サンプルバッグ４１が取り付けられていることによって流路のクリーニングが正常に実行されないという不具合など、人的ミスに起因する不具合の発生の可能性を抑えることができるとともに、作業者の作業負担を軽減することができる。
【０１８０】
なお、ガスクロマトグラフ５１０は、第２の実施の形態における取付有無センサー３１１（図２８参照。）と同様の取付有無センサーを備えることによって、第２の実施の形態に係るガスクロマトグラフ３１０と同様に、サンプルバッグ４１が取り付けられているべきである場合にサンプルバッグ４１が取り付けられていないときや、サンプルバッグ４１が取り外されているべきである場合にサンプルバッグ４１が取り付けられているときに、特定の通知を実行しても良い。
【符号の説明】
【０１８１】
１０  ガスクロマトグラフ
１１ａ  注入口
１２  脱着ヒーター
１７  カラム
１９  センサー
２０  管着脱部
４１  サンプルバッグ（容器）
４２  単管
４３  捕集管
９７  制御部
３１０  ガスクロマトグラフ
５１０  ガスクロマトグラフ
【図１】
2019215215.tif 000003
【図２】
2019215215.tif 000004
【図３】
2019215215.tif 000005
【図４】
2019215215.tif 000006
【図５】
2019215215.tif 000007
【図６】
2019215215.tif 000008
【図７】
2019215215.tif 000009
【図８】
2019215215.tif 000010
【図９】
2019215215.tif 000011
【図１０】
2019215215.tif 000012
【図１１】
2019215215.tif 000013
【図１２】
2019215215.tif 000014
【図１３】
2019215215.tif 000015
【図１４】
2019215215.tif 000016
【図１５】
2019215215.tif 000017
【図１６】
2019215215.tif 000018
【図１７】
2019215215.tif 000019
【図１８】
2019215215.tif 000020
【図１９】
2019215215.tif 000021
【図２０】
2019215215.tif 000022
【図２１】
2019215215.tif 000023
【図２２】
2019215215.tif 000024
【図２３】
2019215215.tif 000025
【図２４】
2019215215.tif 000026
【図２５】
2019215215.tif 000027
【図２６】
2019215215.tif 000028
【図２７】
2019215215.tif 000029
【図２８】
2019215215.tif 000030
【図２９】
2019215215.tif 000031
【図３０】
2019215215.tif 000032
【図３１】
2019215215.tif 000033
【図３２】
2019215215.tif 000034
【図３３】
2019215215.tif 000035
【図３４】
2019215215.tif 000036
【図３５】
2019215215.tif 000037